(57)【要約】【課題】加工・接合が簡単であるとともに、容器の木質単平板の木目の模様のデザイン性をもたらした表面木目模様の一合升様立方体容器を提供する。【解決手段】木製箱型容器において、厚さ８〜１５ｍｍの木目を持つ板が容器の側面板で木目方向になっている板と逆方向の木目を持つ板と交互に配置して３〜２０層模様を呈したデザイン性の木製立方体的容器になっている木目模様意匠性容器である。【選択図】図１
0003209840.tif 000002
【実用新案登録請求の範囲】
【請求項１】
木製箱型容器において、厚さ８〜１５ｍｍの木目を持つ板が容器の側面板で木目方向になっている板と逆方向の木目を持つ板と交互に配置して３〜２０層模様を呈したデザイン性の木製立方体的容器になっていることを特徴とする木目模様意匠性容器。
【請求項２】
木材単板は、針葉樹林であるモミ材、ヒノキ材、スギ材の厚さ８〜１５ｍｍの木製の単平板で、底板と４種類の側板群とからなって、前記側板が木目方向に沿った木板面と、木目と直角にした板面とを交互に組み合わせて、３〜２０層模様側板の各板材を幅１０〜５０ｍｍ、長さ５０〜３６０ｍｍで、底板を縦５０〜３６０ｍｍ、横５０〜３６０ｍｍの平板であって、全体の内容積の寸法としては、高さ４０〜３６０ｍｍ、横５０〜３６０ｍｍ、縦５０〜３６０ｍｍの容積体を構成されていることを特徴とする請求項１に記載の木目模様意匠性容器。
【請求項３】
木材単平板は、上記の平板の数枚を並べて、各平板の接合面に接着剤を塗布して、接合成形した積層状態にして、厚さ８〜１５ｍｍの短冊状、あるいは広幅状の単平板を交互に整列に並べて、食品安全性の多糖質系、又はウレタン系の接着剤を使用した前記各平板の接合面に塗布して、塗布接合した積層板を、加圧成形で処理したものを使用していることを特徴とする請求項１、又は請求項２に記載の木目模様意匠性容器。
【考案の詳細な説明】
【技術分野】
【０００１】この考案は、デザイン性木目側板をもたらして木目を模様にした升様箱体容器にした、側面板で木目方向と木目直角方向にして４種以上の板面を持つ意匠性升型容器に関するものである。
【背景技術】
【０００２】従来、この種の升様箱体容器としては、単平板よりなる木目模様からなる容器に、木製容器を嵌着するように構成したものが知られている。この従来構成においては、側板と底板により形成されているため、デザイン性として側板面に木目模様等の天然素材の模様を表出させるのが困難であった。【０００３】一つ方法として、福祉用具の木製部材に使用されるウッドパイプとして、複数枚の木質の薄単板を巻回積層して接着固定することにより、円筒状のウッドパイプが形成されている。表面木目斜傾模様になるが、各層の薄板で巻き始め端縁と巻き終わり端縁とが、互いに重ならないように突合せ状態で接合されるとともに、ウッドパイプの軸線と平行に延びるように配置されている。各層における薄単板の突合せ接合部は、同一位置に重合しないように、ウッドパイプの円周方向へ位置をずらして配置されている木製模様容器が提案されている（特許文献１参照）。【０００４】さらに複数の木片を直列に接着して得られた複合寄せ木材をその直列方向に縦断するように薄板状に切断して得られた可撓性を有する寄せ木状かつ矩形帯状の薄板を扁平の筒形態に湾曲させて形成された薄肉の胴部と、その胴部の下部内周面に形成された周方向の環状溝に嵌め込まれて、その胴部の下側開口を塞ぐ底板と、前記胴部の上端面に着座してその胴部の上側開口を塞ぐ蓋板と、前記胴部の外周に嵌められたたが部材と、上端から下端まで縦の側壁が互いに平行となっている木製樽型容器が提案されている（特許文献２参照）。【０００５】上記のように薄板を使用した積層体容器は、接着性、及びデザイン性で十分ではなく、加工方法に工夫をもたらすか、特にデザイン性外部表面では材料として樹脂製、紙製などの装飾物、あるいは焼印が使用されていた。しかし特殊な模様の木製薄板での可能性が期待されている。またこのような側面の表面に木目の並びを変えた模様の平板を組み合わせた升様箱体容器については、今まで存在していない。
【先行技術文献】
【特許文献】
【０００６】
【特許文献１】特開２００５−２８８８１４号公報
【特許文献２】特開２００５−３３５２９０号公報
【考案の概要】
【考案が解決しようとする課題】
【０００７】升様箱体容器において、一般に５枚の平板を組み立って製作されている。しかし側板、底板が同一木目の板を使用して、意匠性を全く持っていない。一般に杉など木目と色彩を有している平板を組み合わせて升様箱容器を製作することはなされていない。また十分な容器の歩留まりをよくして、収率をもたらすことができない。その木製箱容器において木目の種類を生かした板材から箱体容器が望まれている。しかし、単平板を数枚以上の貼り合わせた積層体で、強度を防ぐことが行われているが、貼り合わせでも組み合わせ的に行われているために、強度には解決されているが、デザイン的には十分なものではない。【０００８】また、従来升様容器では、表面木目模様のものは存在していない。特殊な木材を使用した積層体で複数枚の単平板が用いられているため、突合せ状態で接着剤によって接合されているため、各層の単平板の幅を外側層ほど次第に大きくなるように変更調整する必要があり、隙間の多いものであった。同一形状の木製単平板を使用することができず、単平板の加工が面倒になるという問題があった。さらに木製の立方体容器で強度的に可能な材料が必要であった。【０００９】さらに、木製升様容器の側面の表面木目模様種々に変更した材料の接合部が、容器の４面の粗面で種々の模様となり、容器の中央部の側面で木目を直角になるように現れるように構成されていない。立体的なデザイン変化を醸しだすことを特徴とする升様容器で行うことが期待されている。木質の単平板により立方体様容器の側面に多様性をもたらして、側面が木目の加工が簡単でデザイン的に優れた升様容器を得ることができなかった。
【課題を解決するための手段】
【００１０】木製箱型容器において、厚さ８〜１５ｍｍの木目を持つ板が容器の側面板で木目方向になっている板と逆方向の木目を持つ板と交互に配置して３〜２０層模様を呈したデザイン性の木製立方体容器になっている木目模様意匠性容器である。【００１１】木材単板は、針葉樹林であるモミ材、ヒノキ材、スギ材の厚さ８〜１５ｍｍの木製の単平板で、底板と４種類の側板とからなって、前記側板が木目方向に沿った木板面と、木目と直角にした板面とを交互に組み合わせて、側板の各板材を幅１０〜５０ｍｍ、長さ５０〜３６０ｍｍで、底板を縦５０〜３６０ｍｍ、横５０〜３６０ｍｍの平板であって、全体の内容積の寸法としては、高さ４０〜３６０ｍｍ、横５０〜３６０ｍｍ、縦５０〜３６０ｍｍの容積体を構成されている。【００１２】木材単平板は、上記の平板の数枚を並べて、各平板の接合面に接着剤を塗布して、接合成形した積層状態にして、厚さ８〜１５ｍｍの短冊状、あるいは広幅状の単平板を交互に整列に並べて、食品安全性の多糖質系、又はウレタン系の接着剤を使用した前記各平板の接合面に塗布して、塗布接合した積層板を、加圧成形で処理したものを使用している。
【考案の効果】
【００１３】この考案によれば、木製箱型容器の側面の表面木目模様種々変更した材料の接合部が、容器の４面、すなわち４種類の側面で種々の模様となり、容器における側面の中央部で交互に木目を直角になるように現れるように構成されている。このため、立体的なデザイン変化を醸しだすことを特長とした升様箱型で木目状態を変更させた模様にした容器にすることが可能とされている。木質の単平板により立方様箱体容器、また直方体容器の側面の板模様で多様性をもたらして、加工が簡単でデザイン的に優れた升様箱体容器を得ることができた。【００１４】種々の木目模様を呈した箱型様形状においても、数種の単平板を組み合わせて、強度は十分で、亀裂とかヒズミなどが存在しない強靭な升様箱体容器で、溶液を入れて飲食に対して、殺菌性、抗菌性などをもたらした。また自然のデザイン性を持たせているので、素朴な装飾性の趣をもった升様箱体容器になり、お祝い時の飲料を注ぐ容器にもなり、また装飾物の入れ物もなった。
【図面の簡単な説明】
【００１５】
【図１】意匠性一合様升型容器の斜視図。
【図２】意匠性升型容器の木目の異なる部材の状態図  Ａ：木目の順応の長め部品、Ｂ：木目の逆方向の長め部品  Ｃ：  底板
【図３】意匠性広升型容器を有する斜視図
【図４】意匠性高升型容器を有する斜視図
【考案を実施するための形態】
【００１６】以下に、この考案の一実施形態を、図面に基づいて説明する。升様容器は、表面木目斜傾模様の側板の様体と、その底板に嵌合・固着されたほぼ立方体の側板とより構成されている。そして、この側板がデザイン性を持たせるように木目状態を逆方法に構成された。
【実施例１】
【００１７】図１に示すように、一合升様箱体容器において、図２のＡ，Ｂなどで示されるように厚さ１０ｍｍの木目を持つ板が立方体容器の側面板を中間位置で逆方向の木目を持つ板を嵌め込んで、各側面が底板を含んで４層模様を呈したデザイン性の木製立方体容器にした。【００１８】    木材単板は、針葉樹林であるスギ材の厚さ１０ｍｍの木製の単平板で、縦横７６．５ｍｍの底板とＡ：木目の順応の長め部品、Ｂ：木目の逆方向の長め部品
とその他木目の順応の短目部品と木目の逆方向の短目部品との４種の側板とからなって、前記側板が木目方向に沿った木板面と、木目と直角にした板面とを組み合わせて、中央部に木目と直角にした板面にしているようにして、図２に示すように各部品の一部を示すが、側板の各板材を幅２１ｍｍ、長さ７６．５ｍｍ（幅２１ｍｍ、長さ７６．５ｍｍを６本、幅２１ｍｍ、長さ５６．５ｍｍを６本）で、底板を縦７６．５ｍｍ、横７６．５ｍｍの平板であって、全体の内容積の寸法としては、高さ６６．５ｍｍ、横７６．５ｍｍ、縦７６．５ｍｍの升型容積を構成した。【００１９】各木材単平板は、上記の平板の数枚を並べて、各平板の接合面にウレタン系接着剤を塗布して、接合成形した積層状態にして、図２に示すように厚さ１０ｍｍの短冊状、あるいは広幅状の単平板で５６．５ｍｍの長さのもんを６枚、厚さを加えないもの７６．５ｍｍの６枚を整列に並べて、食品安全性のウレタン系の接着剤を使用した前記各平板の接合面に塗布して、塗布接合した積層板を、加圧成形で処理したものを使用し、さらに図２のＣで示す底板を取り付けた。これによって一合升様箱体様容器になり、酒を注いでお祝いごとの時に使用した。
【実施例２】
【００２０】実施例１と同様に、実施例１のものを４個横に並べたような形状で製作された升様箱体容器において、図３に示すように厚さ１０ｍｍの木目を持つ板が立方体容器の側面板を中間位置で逆方向の木目を持つ板を嵌め込んで、各側面が４層模様を呈したデザイン性の木製立方体容器にした。【００２１】木材単板は、針葉樹林であるスギ材の厚さ１０ｍｍの木製の単平板で、底板と側板とからなって、前記側板が木目方向に沿った木板面と、木目と直角にした板面とを組み合わせて、中央部に木目と直角にした板面にしているようにして、側板の各板材を幅２１ｍｍ、長さ１５３ｍｍで、底板を縦１５３ｍｍ、横１５３ｍｍの平板（幅２１ｍｍ、長さ１５３ｍｍを６本、幅２１ｍｍ、長さ１１３ｍｍを６本）であって、全体の内容積の寸法としては、高さ６６．５ｍｍ、横１５３ｍｍ、縦１５３ｍｍの大型の一升程度の容積の升型容器を構成した。【００２２】木材単平板は、上記の平板の数枚を並べて、各平板の接合面に接着剤を塗布して、接合成形した積層状態にして、厚さ１０ｍｍの短冊状、あるいは広幅状の単平板で厚さ２倍を加えたもの（１５３ｍｍ）６枚、厚さを加えないもの（１１３ｍｍ）６枚を整列に並べて、さらに底板を取り付けた。食品安全性のウレタン系の接着剤を使用した前記各平板の接合面に塗布して、塗布接合した積層板を、加圧成形で処理したものを使用した。この大型容器は料理など入れる容器として利用された。非常に自然的で感覚が得られた。
【実施例３】
【００２３】図４に示すように縦長の升様箱体容器において、厚さ１０ｍｍの木目を持つ板が立方体容器の側面板を中間位置で逆方向の木目を持つ板を嵌め込んで、各側面が４層模様を呈したデザイン性の木製立方体容器にした。【００２４】木材単板は、針葉樹林であるスギ材の厚さ１０ｍｍの木製の単平板で、縦横７６．５ｍｍの底板と４種の側板とからなって、前記側板が木目方向に沿った木板面と、木目と直角にした板面とを組み合わせて、中央部に木目と直角にした板面にしているようにして、側板の各板材を幅２１ｍｍ、長さ７６．５ｍｍ（幅２１ｍｍ、長さ７６．５ｍｍを１４本、幅２１ｍｍ、長さ５６．５ｍｍを１４本）で、底板を縦７６．５ｍｍ、横７６．５ｍｍの平板であって、全体の内容積の寸法としては、高さ１５７ｍｍ、横７６．５ｍｍ、縦７６．５ｍｍの縦長升様容器を構成した。【００２５】木材単平板は、上記の平板の数枚を並べて、各平板の接合面に接着剤を塗布して、接合成形した積層状態にして、厚さ１０ｍｍの短冊状、あるいは広幅状の単平板で厚さ２倍を加えたもの１４枚、厚さを加えないもの１４枚を整列に並べて、食品安全性の多糖質系の接着剤を使用した前記各平板の接合面に塗布して、塗布接合した積層板を、加圧成形で処理したものを使用している。これに花を生ける容器とした。
【符号の説明】
【００２６】１  升様容器
２  側板、
３  底板
４  木目平行板、
５  木目直角板、
４ａ  木目平行板の側板、
５ａ  木目直角板の側板
６  単平板
７  立方体容器
８  接合部
９  木目
【図１】
0003209840.tif 000003
【図２】
0003209840.tif 000004
【図３】
0003209840.tif 000005
【図４】
0003209840.tif 000006
【手続補正書】
【提出日】平成29年2月1日(2017.2.1)
【手続補正１】
【補正対象書類名】実用新案登録請求の範囲
【補正対象項目名】全文
【補正方法】変更
【補正の内容】
【実用新案登録請求の範囲】
【請求項１】
木製箱型容器において、厚さ８〜１５ｍｍの木目を持つ板が容器の側面板で木目方向になっている平板と逆方向の木目を持つ平板と交互に配置して３〜２０層模様を呈したデザイン性の平板積層からなっている木製立方体的容器になっていることを特徴とする木目模様意匠性容器。
【請求項２】
木材の平板は、針葉樹林であるモミ材、ヒノキ材、スギ材の厚さ８〜１５ｍｍの木製の平板で、底板と４種類の側板群とからなって、前記側板が木目方向に沿った平板面と、木目と直角にした平板面とを交互に組み合わせて、３〜２０層模様側板の各平板材を幅１０〜５０ｍｍ、長さ５０〜３６０ｍｍで、底板を縦５０〜３６０ｍｍ、横５０〜３６０ｍｍの平板材であって、全体の内容積の寸法としては、高さ４０〜３６０ｍｍ、横５０〜３６０ｍｍ、縦５０〜３６０ｍｍの容積体を構成されていることを特徴とする請求項１に記載の木目模様意匠性容器。
【請求項３】
木材の平板積層は、木目方向に沿った平板と木目と直角になった平板の厚さ８〜１５ｍｍの短冊状、あるいは広幅状の平板の数枚を交互に整列的に並べて、それぞれ各平板の接合面に食品安全性の多糖質系、又はウレタン系の接着剤を塗布して、接合成形した積層状態にして、加圧処理した側板であって、前記平板積層の側板と底板を組み立てて製作されていることを特徴とする請求項１、又は請求項２に記載の木目模様意匠性容器。